(57)【要約】【課題】電子音楽装置のもつデータを印刷用画像データの形で記憶メディアに記録し、記憶メディア経由でプリンタに渡してプリントアウトすることができるシステムの提供。【解決手段】この印刷用画像データ記録システムでは、可搬性不揮発記憶メディアＭＭ（ａ，ｂ）のドライブ１０，２０を備え、電子音楽装置ＥＭのもつデータを記憶装置４から取得し、取得したデータを元に印刷用画像データ（レジスト、楽譜、購入機能データ等）を生成し、生成した印刷用画像データを可搬性不揮発記憶メディアＭＭに記録し、電子音楽装置ＥＭのデータを印刷用画像データとして記憶メディアＭＭに書き出す。記憶メディアＭＭは、プリンタＰＲａに装着されるか或いはプリンタＰＲａにアクセス可能なパーソナルコンピュータＰＣに装着され、画像データとして書き出された電子音楽装置ＥＭのデータは、プリンタＰＲａによりプリントアウトされた紙面で確認することができる。【選択図】図１
2009216953.tif 000002
【特許請求の範囲】
【請求項１】
可搬性不揮発記憶媒体を駆動する記憶媒体駆動装置を具備する電子音楽装置であって、
この電子音楽装置に備えられた機能に関係するデータを取得するデータ取得手段と、
データ取得手段により取得されたデータを元に印刷用画像データを生成する画像データ生成手段と、
画像データ生成手段により生成された印刷用画像データを可搬性不揮発記憶媒体に記録する画像データ記録手段と
を具備することを特徴とする電子音楽装置。
【請求項２】
データ取得手段は、この電子音楽装置内部の設定データを取得し、
画像データ生成手段は、取得された設定データを元に印刷用画像データを生成する
ことを特徴とする請求項１に記載の電子音楽装置。
【請求項３】
データ取得手段は、この電子音楽装置に保持されている演奏データを取得し、
画像データ生成手段は、取得された演奏データを元に印刷用画像データを生成する
ことを特徴とする請求項１に記載の電子音楽装置。
【請求項４】
データ取得手段は、この電子音楽装置に蓄積されている音楽コンテンツの購入情報を取得し、
画像データ生成手段は、取得された購入情報を元に印刷用画像データを生成する
ことを特徴とする請求項１に記載の電子音楽装置。
【請求項５】
可搬性不揮発記憶媒体を駆動する記憶媒体駆動装置を具備し、電子音楽装置として機能するコンピュータに、
この電子音楽装置に備えられた機能に関係するデータを取得するデータ取得手段と、
データ取得手段により取得されたデータを元に印刷用画像データを生成する画像データ生成ステップと、
画像データ生成ステップで生成された印刷用画像データを可搬性不揮発記憶媒体に書き出す画像データ記録ステップと
から成る手順をコンピュータに実行させる印刷用画像データ記録プログラム。
【発明の詳細な説明】
【技術分野】
【０００１】
この発明は、電子楽器などの電子音楽装置が有するデータの内容をプリントアウトで確認するための印刷用画像データを記録する印刷用画像データ記録システムに関する。
【背景技術】
【０００２】
電子楽器で利用されるデータをプリンタで印刷する技術については、例えば、特許文献２には、ネットワークに介して電子楽譜データなどのダウンロードが可能なパーソナルコンピュータに電子楽器とプリンタとを接続することにより、パーソナルコンピュータ上の電子楽譜データをプリンタで印刷したり、電子楽譜データから生成した演奏用データで電子楽器に楽音を生成させたりする電子音楽システムが開示されている。
【特許文献１】特開２００４−１１７４８７号公報
【０００３】
また、従来より、デジタルカメラのデータを収めたＵＳＢメモリやメモリカードを直接装着し、印刷することができるプリンタがある。
【０００４】
しかしながら、従来技術では、電子楽器などの電子音楽装置のもつデータを印刷することができない。特に、最近の電子楽器は、高機能化と共に操作が複雑化しているため、意図した通りの動作をしないときに、ユーザは操作を誤ったのか故障したのか直ぐにはわからないことが多いが、その機能の複雑さの割には表示器が小さいため、ユーザは電子楽器の状態を詳しく把握することが困難である。また、ユーザには、メーカへの問合せや自身の理解のために、操作履歴や電子楽器の状態などを一覧したいという要望がある。
【発明の開示】
【発明が解決しようとする課題】
【０００５】
この発明は、このような事情に鑑み、電子音楽装置のもつデータをプリントアウト可能な印刷用画像データの形で記憶メディアに記録し、記憶メディア経由でプリンタに渡して該データをプリントアウトすることができる印刷用画像データ記録システムを提供することを目的とする。
【課題を解決するための手段】
【０００６】
この発明の主たる特徴に従うと、可搬性不揮発記憶媒体（記憶メディアＭＭ：ＭＭａ，ＭＭｂ）を駆動する記憶媒体駆動装置（ドライブ１０，２０）を具備する電子音楽装置（ＥＭ）であって、この電子音楽装置に備えられた機能に関係するデータを取得するデータ取得手段（Ｐ３；Ｑ２；Ｒ４〜Ｒ５）と、データ取得手段により取得されたデータを元に印刷用画像データ（Ａ〜Ｄ）を生成する画像データ生成手段（Ｐ５〜Ｐ６；Ｑ３〜Ｑ５；Ｒ７１〜Ｒ７２）と、画像データ生成手段により生成された印刷用画像データ（Ａ〜Ｄ）を可搬性不揮発記憶媒体（ＭＭ）に記録する画像データ記録手段（Ｐ７〜Ｐ９；Ｑ６〜Ｑ８；Ｒ７３〜Ｒ７５）とを具備する電子音楽装置（ＥＭ）〔請求項１〕、並びに、可搬性不揮発記憶媒体（記憶メディアＭＭ：ＭＭａ，ＭＭｂ）を駆動する記憶媒体駆動装置（ドライブ１０，２０）を具備し、電子音楽装置として機能するコンピュータ（ＥＭ）に、この電子音楽装置に備えられた機能に関係するデータを取得するデータ取得ステップ（Ｐ３；Ｑ２；Ｒ４〜Ｒ５）と、データ取得ステップで取得されたデータを元に印刷用画像データ（Ａ〜Ｄ）を生成する画像データ生成ステップ（Ｐ５〜Ｐ６；Ｑ３〜Ｑ５；Ｒ７１〜Ｒ７２）と、画像データ生成ステップで生成された印刷用画像データ（Ａ〜Ｄ）を可搬性不揮発記憶媒体（ＭＭ）に記録する画像データ記録ステップ（Ｐ７〜Ｐ９；Ｑ６〜Ｑ８；Ｒ７３〜Ｒ７５）とから成る手順を実行させる印刷用画像データ記録プログラム〔請求項５〕が提供される。なお、括弧書きは、理解の便のために付記した実施例の参照記号、用語等を表わし、以下においても同様である。
【０００７】
この発明による電子音楽装置（ＥＭ）において、データ取得手段は、この電子音楽装置内部の設定データを取得し（Ｐ３）、画像データ生成手段は、取得された設定データを元に印刷用画像データ（レジストデータＡや環境設定データＤ）を生成する（Ｐ５〜Ｐ６）〔請求項２〕ように構成することができる。また、データ取得手段は、この電子音楽装置に保持されている演奏データを取得し（Ｑ２）、画像データ生成手段は、取得された演奏データを元に印刷用画像データ（楽譜データＢ）を生成する（Ｑ３〜Ｑ５）〔請求項３〕ように構成することができる。さらに、データ取得手段は、この電子音楽装置に蓄積されている音楽コンテンツの購入情報を取得し（Ｒ４〜Ｒ５）、画像データ生成手段は、取得された購入情報を元に印刷用画像データ（購入記録データＣ）を生成する（Ｒ７１〜Ｒ７２）〔請求項４〕ように構成することができる。
【発明の効果】
【０００８】
この発明の主たる特徴による印刷用画像データ記録システムでは〔請求項１，５〕、可搬性不揮発記憶媒体（記憶メディアＭＭ：ＭＭａ，ＭＭｂ）の駆動装置（ドライブ１０，２０）が備えられており、電子音楽装置（ＥＭ）のもつデータを取得し（Ｐ３；Ｑ４〜Ｑ５；Ｒ２）、取得したデータを元に印刷用画像データ（Ａ〜Ｄ）を生成し（Ｐ５〜Ｐ６；Ｑ７１〜Ｑ７２；Ｒ３〜Ｒ５）、生成した印刷用画像データ（Ａ〜Ｄ）を可搬性不揮発記憶メディア（ＭＭ）に記録する（Ｐ７〜Ｐ９；Ｑ７３〜Ｑ７５；Ｒ６〜Ｒ８）ようにしている。そして、印刷用画像データが書き出された記憶メディア（ＭＭ）は、プリンタ（ＰＲａ）に装着されるか或いはプリンタにアクセス可能なパーソナルコンピュータ（ＰＣ）に装着され、画像データを印刷することができる。
【０００９】
従って、この発明によれば、電子音楽装置のもつデータをプリントアウト可能な印刷用画像データの形で記憶メディアに記録し、記憶メディア経由でプリンタに渡して該データをプリントアウトすることができ、プリントアウトした紙面によりデータの詳細を確認することができる。つまり、電子音楽装置の表示器では表示することができない、内部の設定パラメータの一覧や多数の小節にわたる楽譜、音楽コンテンツの購入記録などの画像データを、電子音楽装置に接続されない任意箇所のプリンタで印刷し、プリント（紙面）で詳細に確認することができる。そして、プリントを手にとって見ながら更なる編集をしたり、編集後に元に戻したりできる。また、電子音楽装置のもつデータを可搬性のある記憶媒体や紙で保存することができる。さらに、画像データをメールで送ったりプリントをファックスで送ったりして電子音楽装置のメーカに問い合わせることができる。
【００１０】
電子音楽装置のもつデータについては、ユーザ操作に応じて、レジストデータと呼ばれる楽音制御に関するデータやパラメータ、内蔵されている曲データや伴奏データ等の音楽リスト、機器動作上の各種の設定や操作ログに関するデータ等の内部の設定データを取得し（Ｐ３）、設定データを元に、ＲＯＭ（３）に記憶している文字フォントデータを使い印刷用画像データ（レジストデータＡや環境設定データＤ）を生成し（Ｐ５〜Ｐ６）記憶メディア（ＭＭ）に記録する（Ｐ７〜Ｐ９）ことができる〔請求項２〕。或いは、電子音楽装置（ＥＭ）が持っている演奏データを取得し（Ｒ２）、演奏データを元に、ＲＯＭ（３）に記憶している楽譜フォントデータを使い印刷用画像データ（楽譜データＢ）を生成し（Ｒ３〜Ｒ５）記憶メディア（ＭＭ）に記録する（Ｒ６〜Ｒ８）ことができる〔請求項３〕。また、ネットワーク（ＷＮ）経由で有料の音楽コンテンツを購入した場合には（Ｑ４）、その記録情報を取得し（Ｑ５）、記録情報を元にし、ＲＯＭ（３）に記憶している文字フォントデータを使い印刷用画像データ（購入記録データＣ）を生成し（Ｑ７１〜Ｑ７２）記憶メディア（ＭＭ）に記録する（Ｑ７３〜Ｑ７５）ことができる〔請求項４〕。
【００１１】
なお、ローカルエリアネットワーク（ＬＡＮ２１）で外部のネットワークドライブ（ＦＳ）が接続されている場合、ネットワークドライブ（ＮＤ）を用いて印刷用画像データを書き出しその記憶媒体（ＨＤＤ）に記録するようにしてもよい。
【発明を実施するための最良の形態】
【００１２】
〔システムの概要〕
この発明の一実施例による印刷用画像データ記録システムの機能が組み込まれる電子音楽装置は、印刷用画像データ記録処理を含む音楽情報処理機能を有する一種のコンピュータであり、典型的には、電子楽器のように演奏操作部及び楽音信号生成部を備える音楽専用機器が用いられるが、演奏操作部や楽音信号発生部を備えるパーソナルコンピュータ（ＰＣ）のように電子楽器と同等の音楽データ処理機能を有する音楽データ処理装置を用いることもできる。図１は、この発明の一実施例による電子音楽装置を含むシステム構成を説明するための図である。
【００１３】
印刷用画像データ記録システムが構築される電子音楽装置ＥＭは、中央処理装置（ＣＰＵ）１、ランダムアクセスメモリ（ＲＡＭ）２、読出専用メモリ（ＲＯＭ）３、内蔵外部記憶装置４、演奏操作検出回路５、設定操作検出回路６、表示回路７、音源回路８、効果回路９、内蔵記憶メディアドライブ１０、ＵＳＢインターフェース（Ｉ／Ｆ）１１、通信インターフェース（Ｉ／Ｆ）１２、ＭＩＤＩインターフェース（Ｉ／Ｆ）１３などを備えており、これらの要素１〜１３はバス１４を介して互いに接続される。
【００１４】
ＣＰＵ１は、ＲＡＭ２及びＲＯＭ３と共にデータ処理部を構成し、所定の制御プログラムに従い、タイマ１５によるクロックを利用して印刷用画像データ記録処理を含む種々の音楽情報処理を実行する。ＲＡＭ２は、これらの処理に際して必要な各種データを一時記憶するためのワーク領域として用いられ、例えば、印刷用画像データ記録処理の際には、内蔵外部記憶装置４から読み出された種々のデータを印刷用画像データの生成のために一時記憶することができる。なお、この電子音楽装置ＥＭに選択的に設定可能な複数（１６）のレジストデータを夫々記憶する複数（１６）の領域はレジストメモリと呼ばれる。ＲＯＭ３には、これらの処理を実行するために必要な各種制御プログラムや制御データが予め記憶され、例えば、印刷用画像データの生成のために、文字フォントデータや楽譜フォントデータ等が記憶される。
【００１５】
内蔵外部記憶装置４は、ハードディスク（ＨＤ）や、フラッシュメモリのような書換え可能な不揮発性の半導体メモリなどの内蔵記憶媒体とこれを駆動する装置で構成され、内蔵ＨＤＤ、内蔵フラッシュメモリ等と呼ばれる。この記憶装置４には、電子音楽装置ＥＭがもつ種々のデータを記憶し保存しておくことができ、例えば、楽音制御に関して電子音楽装置ＥＭに設定され「レジストデータ」と呼ばれるデータやパラメータ、曲データと呼ばれる演奏データやスタイルデータと呼ばれる伴奏データを含む音楽コンテンツとそのリスト、音楽コンテンツをネットワーク経由で購入した場合の購入情報、電子音楽装置ＥＭにおける動作環境上の各種の設定や操作ログに関する設定・ログデータ等が記憶される。
【００１６】
演奏操作検出回路５は、鍵盤などの演奏操作子１６と共に演奏操作部を構成し、演奏操作子１６の操作を検出し、検出された演奏操作に対応する演奏データをデータ処理部に導入することができる。設定操作検出回路６は、文字・記号キー等のスイッチを含む設定操作子１７に対する操作内容を検出し、対応する各種設定情報をデータ処理部に導入する。表示回路７は、ＬＣＤ等のディスプレイ（表示器）を含む各種表示要素１８の点灯／表示内容をＣＰＵ１からの指令に従って制御し、各種操作に対する表示援助を行う。
【００１７】
音源回路８は、ＤＳＰを有する効果回路９と共に楽音信号生成部を構成し、演奏操作子１６の演奏操作に基づく演奏データ、或いは、記憶手段３，４からＲＡＭ２に読み出される演奏データや伴奏データに基づき、選択されているレジストデータに従って、楽音波形を表わす楽音信号を生成する。効果回路９に接続されたサウンドシステム１９は、Ｄ／Ａ変換部やアンプ、スピーカを備え、効果回路９からの楽音信号に基づく楽音を発生する。
【００１８】
内蔵記憶メディアドライブ１０は不揮発性の記憶メディアＭＭａを駆動することができ、ＵＳＢＩ／Ｆ１１に接続されるＵＳＢ記憶メディアドライブ２０は、不揮発性の記憶メディアＭＭｂを駆動することができ、記憶メディアＭＭａ，ＭＭｂ自体がドライブ１０，１１に対して着脱自在であるか、記憶メディアＭＭａ，ＭＭｂとドライブ１０，１１を含む記憶装置全体が電子音楽装置ＥＭに対して着脱自在である。このように着脱自在で不揮発性の記憶メディア或いは記憶装置は、可搬性不揮発記憶媒体と呼ばれ、例えば、ＦＤ（フレキシブルディスク）、ＭＯ（光磁気ディスク）、着脱式ＨＤＤ（ハードディスク）、ＣＤ−ＲＯＭ、ＣＤ−ＲＷ、ＤＶＤ−ＲＯＭ、ＤＶＤ＋ＲＯＭ、ＤＶＤ−ＲＡＭ、ＤＶＤ＋ＲＡＭ、ＵＳＢメモリ（ＵＳＢＩ／Ｆを持ったフラッシュメモリ）、コンパクトフラッシュ（登録商標）やスマートメディアやＳＤカードなどのメモリカード（フラッシュメモリを内蔵したカード状の記憶装置）、メモリスティック（フラッシュメモリを内蔵した棒状の記憶装置）等がある。なお、以下においては、説明を簡単にするために、可搬性不揮発記憶媒体を記憶メディアＭＭａ，ＭＭｂ（代表記号ＭＭ）で表わす。
【００１９】
記憶メディアＭＭ：ＭＭａ，ＭＭｂは、この電子音楽装置ＥＭとは独立して設けられたプリンタＰＲａに装着することができ、プリンタＰＲａは、記憶メディアＭＭ：ＭＭａ，ＭＭｂに記録された画像データの内容をプリントアウトすることができる。また、記憶メディアＭＭ：ＭＭａ，ＭＭｂは、この電子音楽装置ＥＭとは独立して設けられたパーソナルコンピュータＰＣに装着することができ、コンピュータＰＣは、コンピュータＰＣに接続されたプリンタＰＲａにアクセスして、記憶メディアＭＭ：ＭＭａ，ＭＭｂに記録された画像データの内容をプリントアウトさせることができる。
【００２０】
通信Ｉ／Ｆ１２には、ローカルエリアネットワーク（ＬＡＮ）２１が接続され、ＬＡＮ２１には、ルータ又はモデムＲＭ、プリントサーバＰＳ、ファイルサーバＦＳ等が接続される。ルータ又はモデムＲＭはＬＡＮ２１をインターネットなどの広域通信ネットワークＷＮに接続し、外部のコンテンツ提供サーバＳＶ等から、ネットワークＷＮ、ルータ又はモデムＲＭ及びＬＡＮ２１を介して、演奏データを含む音楽コンテンツや制御プログラムを電子音楽装置ＥＭにダウンロードし記憶装置４に保存して利用することができる。
【００２１】
プリントサーバＰＳは、自身のプリンタＰＲｂをＬＡＮ２１上の他のコンピュータと共有し利用可能とする機能を有するコンピュータであり、電子音楽装置ＥＭなどの他のコンピュータからの印刷要求を受け付けてプリンタＰＲｂで印刷していくことができる。ファイルサーバＦＳは、自身が管理する記憶装置（ＨＤＤ）のファイルをＬＡＮ２１上の他のコンピュータと共有し利用可能とする機能を有するコンピュータであり、許可された他のコンピュータからファイルの読み書きができ、種々のファイルを自身の記憶装置（ＨＤＤ）に記録したり自身のプリンタＰＲｃで印刷することもできる。また、ファイルサーバＦＳには、ネットワークドライブＮＤの機能（ＬＡＮ２１上の別のコンピュータの共有フォルダや共有ドライブを自分のものであるかのように扱う機能）が設定され、集中管理しつつ、電子音楽装置ＥＭ専用の領域を設定することができる。
【００２２】
ＭＩＤＩＩ／Ｆ１３には、この電子音楽装置ＥＭと同様にＭＩＤＩ音楽情報処理機能を有する外部ＭＩＤＩ機器ＭＤが接続され、ＭＩＤＩＩ／Ｆ１３を通じて電子音楽装置ＥＭと外部ＭＩＤＩ機器ＭＤとの間でＭＩＤＩ演奏データを授受することができる。
【００２３】
この発明の一実施例による印刷用画像データ記録システムでは、上述のように可搬性不揮発記憶メディアＭＭ：ＭＭａ，ＭＭｂのドライブ１０，２０を備えるシステム構成を利用し、電子音楽装置ＥＭのもつデータを記憶装置４から取得し、取得したデータを元に印刷用画像データ（Ａ〜Ｄ）を生成し、生成した印刷用画像データ（Ａ〜Ｄ）を可搬性不揮発記憶メディアＭＭに記録する。つまり、電子音楽装置ＥＭのもつデータは、印刷用画像データ（Ａ〜Ｄ）として記憶メディアＭＭに書き出される。そして、記憶メディアＭＭは、プリンタＰＲａに装着されるか或いはプリンタＰＲａにアクセス可能なパーソナルコンピュータＰＣに装着され、画像データとして書き出された電子音楽装置ＥＭのデータは、プリンタＰＲａによりプリントアウトされた紙面で確認することができる。画像データとして書き出されるデータには、楽音制御に関して電子音楽装置ＥＭ内に設定されるデータやパラメータの一覧に関するレジストデータ（Ａ）、電子音楽装置ＥＭに内蔵している再生可能な演奏データから得られる多数の小節にわたる楽譜データ（Ｂ）、広域ネットワークＷＮ経由で有料の音楽コンテンツを購入した場合の購入記録データ（Ｃ）、機器動作上の各種のネットワーク設定などに関する環境設定データ（Ｄ）、音楽コンテンツとは別個に内蔵している演奏データ（伴奏データ等を含む）のリストを表わす曲データリスト、機器動作における操作ログ情報などがある。
【００２４】
なお、図１のように、ローカルエリアネットワーク（ＬＡＮ）２１上に外部のネットワークドライブＮＤが接続されている場合、ネットワークドライブＮＤで、電子音楽装置ＥＭに関する必要なデータを画像データとして書き出し、書き出したデータをネットワークドライブＮＤの記憶媒体（ＨＤＤ）に記録し、画像データをネットワークにつながった機器間で共有して閲覧するようにしてもよい。特に、電子音楽装置ＥＭから遠く離れたサービスセンタの技術者とで画像データを共有するようにしてもよい。また、そのプリンタＰＲｃ又は共有プリンタＰＲｂで、記録した画像データを印刷するようにしてもよい。特に、ファイルサーバＦＳがネットワークドライブＮＤを監視していて、電子音楽装置ＥＭによってネットワークドライブＮＤヘの書き込みが行われたことを検知して、そのプリンタＰＲｃ又は共有プリンタＰＲｂで印刷するようにしてもよい。
【００２５】
〔レジストデータの書き出し〕
この発明の一実施例による印刷用画像データ記録システムでは、第１の実施形態（レジスト記録モード）において、楽音制御に関して電子音楽装置ＥＭに設定されたレジストデータ（レジスト＝レジストレーションの略称、「楽器の設定」とも呼ばれる）を印刷用レジスト画像データとして可搬性不揮発記憶媒体に書き出す。可搬性不揮発記憶媒体に書き出されたレジスト画像データは、任意のプリンタでプリントアウトすることができる。従って、例えば、電子楽器の先生が、多数いる生徒に夫々の楽器のレジストを印刷させ、これを目で確認したり部分的に修正する、或いは、印刷されたレジストを生徒に配布してそれに合わせて楽器を設定させる、といったことができる。図２及び図３は、第１の実施形態によるレジストデータの書き出しを説明するための図である。
【００２６】
図２（１）は、この電子音楽装置ＥＭの外観例を示しており、上鍵盤と下鍵盤との段差部には、設定操作子１７及び表示要素１８の一つであるレジストメモリボタンＭｂが設置される。この例では、レジストメモリボタンＭｂは、メモリボタン「Ｍ」と、ＲＡＭ２の各レジストメモリに対応付けられた１６個のナンバボタン「１」〜「１６」とから成る。ユーザは、レジストメモリデータ作成時は、音色や音量、エフェクト等について一群の楽音制御パラメータ（REGISTRATION）をパネル上で作成し、メモリボタン「Ｍ」及び任意のナンバボタンを操作することにより、作成された一群の楽音制御パラメータをこのナンバボタンに対応するレジストメモリに記録させる。これらのレジストメモリに記録された楽音制御パラメータは、レジストデータと呼ばれ、記憶装置（内蔵ＨＤＤ）４に保存しておくことができる。演奏時には、各レジストメモリにレジストデータをロードし、任意のナンバボタンを操作することにより、このナンバボタンに対応するレジストメモリにロードされている一群の楽音制御パラメータを楽音信号生成部に適用することができる。
【００２７】
図２（２）は、レジストデータのデータ構造例を示しており、レジストデータは、１６の楽音制御パラメータ群：REGISTRATION１〜REGISTRATION16から成り、各パラメータ群は、音色（ボイス）の設定に関する音色設定データ、音量の設定に関する音量設定データ、エフェクト（効果）の設定に関する効果設定データ、及び、リズムやテンポ、伴奏など、その他のパラメータの設定に関するその他設定データから成る。これらの設定データは、レジスト処理と呼ばれる印刷用画像データ記録処理により、各楽音制御パラメータ群を印刷用画像データＡとしてドライブ１０／２０にて可搬性不揮発記憶メディアＭＭａ／ＭＭｂに書き出される。図２（３）は印刷用画像データＡのイメージを表わし、この例では、各楽音制御パラメータ群毎に１枚分のレジスト画像データ（合計１６枚）が生成される。
【００２８】
図３は、レジスト処理のフローチャート例である。ユーザによる設定操作子１７のモード指定操作でレジスト記録モードに入ると、ＣＰＵ１は、レジスト処理を開始し、最初のステップＰ１で、ユーザによる各種楽音制御パラメータの設定操作があると、操作に応じて、電子音楽装置ＥＭ内部の設定を変更し、続くステップＰ２では、ユーザによりメモリボタン「Ｍ」及び何れかのナンバボタン「ａ」（ａ＝１〜１６）が操作されると、操作に応じて、電子音楽装置ＥＭ内部の設定状態をナンバボタン「ａ」に対応するレジストメモリに記憶する。次いで、ステップＰ３では、レジストデータが各レジストメモリにロードされている場合に、ユーザにより何れかのナンバボタン「ｂ」（ｂ＝１〜１６）が操作されると、操作に応じて、ナンバボタン「ｂ」に対応するレジストメモリに記憶されているレジストデータに基づく設定状態を電子音楽装置ＥＭ内に再設定する。なお、ステップＰ１〜Ｐ３は、対応するユーザ操作がないときはスルーする。
【００２９】
次のステップＰ４では、ユーザ操作によりレジストメモリの設定内容を画像データとして書き出す指示がなされたか否かを判定し、書き出し指示があったときは（Ｐ４＝ＹＥＳ）、ステップＰ５〜Ｐ９のレジスト記録処理を行う。まず、ステップＰ５では、ユーザ操作による各種画像変換パラメータの指定に従って、形式、縦横の画像サイズ、フォントサイズ、白黒／カラーなどのレジスト画像設定情報を決定する。次に、ステップＰ６で、決定したレジスト画像設定情報に従い、ＲＯＭ３のフォントデータを用いてレジストメモリの設定内容を印刷用レジスト画像データに変換する。この場合の変換対象については、図２（３）に画像データＡで示すようにレジストメモリの設定を全て一括して画像データに変換してもよいし、ユーザの更なる操作（レジストナンバ指定操作）により、指定された１つのレジストメモリについてのみ画像データに変換してもよい。
【００３０】
さらに、ステップＰ７では、記録可能な記録メディアドライブ１０，２０の記録メディアＭＭａ，ＭＭｂ或いはネットワークドライブＮＤを検索するメディア検索処理（詳細は図４で後述する）を行い、次のステップＰ８では、ディスプレイ１８上に検索結果画面を表示し、ユーザに対して、メディア検索処理で検索された記録可能な記録先を提示し、所望の記録先を選択させる。そして、ステップＰ９にて、所望の記録先に印刷用レジスト画像データＡをファイルとして所望の記録先に書き出す。なお、画像データＡは１枚分あたり１ファイルとして書き出すことが好ましい。
【００３１】
レジスト記録処理（Ｐ５〜Ｐ９）の後、或いは、ステップＰ４で書き出し指示がないと判定したときには（Ｐ４＝ＮＯ）、ステップＰ１０に進みその他の処理を行う。つまり、ステップＰ１０では、上述した以外のユーザ操作があれば、対応する別の処理を行い、かかる操作がなければスルーして、ステップＰ１に戻る。その他の処理には、例えば、レジスト保存操作があったときに、各レジストメモリに記憶されている設定内容をレジストデータとして記憶装置（内蔵ＨＤＤ）４のレジスト記憶領域に記憶するレジスト保存処理や、レジスト読出し操作があったときに、記憶装置４のレジスト記憶領域に記憶されたレジストデータを読み出して各レジストメモリにロードするレジスト読出し処理などがある。
【００３２】
〔メディア検索処理〕
図４は、レジスト処理のステップＰ７等で行われるメディア検索処理のフローチャート例を示す。まず、ステップＭ１では、ディスプレイ１８上にメディア検索画面を表示して、記憶装置（内蔵ＨＤＤ）４、内蔵メディアドライブ１０、ＵＳＢＩ／Ｆ１１に接続されているメディアドライブ２０、ローカルエリアネットワーク（ＬＡＮ）２１を列挙し、ユーザに何れかを選択させ、次のステップＭ２で、内蔵メディアドライブ１０、或いは、ＵＳＢＩ／Ｆ１１に接続されているメディアドライブ２０が選択されたか否かを判定する。
【００３３】
ここで、メディアドライブ１０，２０の何れかが選択されたときは（Ｍ２＝ＹＥＳ）、ステップＭ３に進んで、選択されたドライブ１０或いはドライブ２０に書き込み可の記憶メディアが装着されているか否かを調べ、装着されていないときは（Ｍ３＝ＮＯ）、書き込み可の記憶メディアが当該ドライブに装着されていない旨をメディア検索画面に表示してステップＭ１に戻る。例えば、メディアが何も装着されていなかったり、装着されているメディアが読み取り専用のＣＤ−ＲＯＭであったり、自身に備えられたスイッチやツメが書き込み禁止に設定がされているＵＳＢメモリ等のメディアなどであれば、ドライブ１０或いはドライブ２０は書き込み可の記憶メディアが装着されていないと判断をする。一方、メディアドライブ１０，２０が何れも選択されないときは（Ｍ２＝ＮＯ）、ステップＭ４でＬＡＮ２１が選択されたか否かを判定し、ＬＡＮ２１が選択されたときは（Ｍ３＝ＹＥＳ）、ステップＭ５で、ＬＡＮ２１上のコンピュータＦＳとその共有ドライブＮＤを検索してメディア検索画面に表示し、ユーザに所望の共有ドライブＮＤを選択させる。また、ＬＡＮ２１も選択されていないときは（Ｍ３＝ＮＯ）、ステップＭ６に進んで内蔵ＨＤＤ４が選択されたか否かを判定し、内蔵ＨＤＤ４も選択されていないときは（Ｍ６＝ＮＯ）、ステップＭ１に戻る。
【００３４】
選択されたドライブ１０，２０に書き込み可の記憶メディアが装着されているとき（Ｍ３＝ＹＥＳ）、選択されたＬＡＮ２１上の共有ドライブＮＤを選択させる処理（Ｍ５）の後、或いは、内蔵ＨＤＤ４が選択されたときは（Ｍ６＝ＹＥＳ）、まず、ステップＭ７で、出力可能なフォルダを検出して列挙し、ユーザに所望のフォルダを選択させる。次いで、ステップＭ８で、ユーザによる指定操作或いは自動生成により、選択されたフォルダについてファイル名を決定する。さらに、ステップＭ９において、選択されたドライブ１０，２０内のフォルダ、ＬＡＮ２１上の共有ドライブ内のフォルダ或いは内蔵ＨＤＤ４内のフォルダが、アクセス制限設定によって書き込み可の状態であるか否かを調べ、書き込み可の状態でなければ（Ｍ９＝ＮＯ）、ステップＭ１に戻って、上述したステップＭ１〜Ｍ９の処理動作を繰り返す。そして、書き込み可の状態であれば（Ｍ９＝ＹＥＳ）、このメディア検索処理を終了し、レジスト処理のステップＰ８等の記録先提示段階にリターンする。
【００３５】
〔楽譜データの書き出し〕
この発明の一実施例による印刷用画像データ記録システムでは、第２の実施形態（楽譜記録モード）において、電子音楽装置ＥＭに内蔵している演奏データから得られる楽譜データを印刷用楽譜画像データとして可搬性不揮発記憶媒体に書き出す。可搬性不揮発記憶媒体に書き出された楽譜画像データは、任意のプリンタでプリントアウトすることができる。従って、ディスプレイ１８には４小節の楽譜しか表示できなくても、一頁あたり多数の小節からなるものを複数頁にして一曲分の楽譜を印刷することができる。図５及び図６は、第２の実施形態による楽譜データの書き出しを説明するための図である。
【００３６】
図５の楽譜記録処理のフローチャート例に従って楽譜データの書き出しを説明する。ユーザによる設定操作子１７のモード指定操作で楽譜記録モードに入ると、ＣＰＵ１は、楽譜記録処理を開始し、最初のステップＱ１で、記憶装置（内蔵ＨＤＤ）４内の音楽コンテンツを検索し、ユーザに対して、ディスプレイ１８上に表示した音楽コンテンツ指定画面により、検索した音楽コンテンツを提示し所望の音楽コンテンツを指定させる。次のステップＱ２では、ユーザ操作で指定された音楽コンテンツ中の演奏データを記憶装置４からＲＡＭ２に読み込む。
【００３７】
演奏データは、例えば、図６（１）に示すデータ構造を有しており、所謂ＳＭＦのような形式であり、楽曲のタイトルや作曲者、トラック構成などの演奏データ全体の案内情報で構成されるヘッダチャンクと複数（Ｎ）のトラックチャンク１〜Ｎから成る。各トラックチャンク１〜Ｎには、当該トラックの案内情報で構成されるヘッダ部に続いて、ＳＭＦ形式で、楽曲演奏の進行に従ってタイミング情報と共にＭＩＤＩイベントが順次配列される。ＭＩＤＩイベントには、ノートオンとノートオフが含まれ、それらには音高を表わすノート番号が含まれる。また、最も若い番号のトラックチャンク１には、拍子やテンポを表わすメタイベントが含まれる。なお、トラックチャンクには、歌詞を表すメタイベントが含まれていてもよい。
【００３８】
さて、ステップＱ２に続くステップＱ３では、ユーザ操作による各種画像変換パラメータの指定に従い、形式、縦横の画像サイズ、白黒／カラー、一頁あたりの段数、一段あたりの小節数などの楽譜画像設定情報を決定し、次いで、ステップＱ４にて、ＲＡＭ２に読み込んだ演奏データから拍子情報を取得する。さらに、ステップＱ５において、ＭＩＤＩイベントを演奏進行順に読み出し、その時間的位置（小節、拍）、ノート番号から決まる音高、ノートＯＮ／ＯＦＦの間隔から決まるデュレーションを決め、ＲＯＭ３に記憶している楽譜フォント或いは文字フォントを用いて、指定された形式の印刷用楽譜画像データに変換する。この印刷用楽譜画像データは、図６（２）に楽譜画像データＢで示されるような五線譜のイメージをもち、この例では、２ページで一曲分の楽譜を表わす。
【００３９】
次に、ステップＱ６では、図４で説明したメディア検索処理により、記録可能な記録メディアドライブ１０，２０の記録メディアＭＭａ，ＭＭｂ或いはネットワークドライブＮＤを検索する。続いて、ステップＱ７で、ディスプレイ１８上に検索結果画面を表示し、ユーザに対して、メディア検索処理で検索された記録可能な記録先を提示し、所望の記録先を選択させる。そして、ステップＱ８にて、所望の記録先に印刷用楽譜画像データＢをファイルとして所望の記録先に書き出し、楽譜記録処理を終了する。
【００４０】
〔音楽コンテンツ購入記録データの書き出し〕
この発明の一実施例による印刷用画像データ記録システムでは、第３の実施形態（コンテンツ購入モード）において、電子音楽装置ＥＭで音楽コンテンツを購入した場合の購入記録データを印刷用音楽コンテンツ購入記録画像データとして可搬性不揮発記憶媒体に書き出す。可搬性不揮発記憶媒体に書き出された音楽コンテンツ購入記録画像データは任意のプリンタでプリントアウトすることができるので、曲名をグループ毎にディスプレイ１８に表示する程度の表示能力しかもたない電子音楽装置ＥＭでも、任意のプリンタを使って多数の音楽コンテンツ購入記録を詳細に印刷することができる。図７及び図８は、第３の実施形態による音楽コンテンツ購入記録データの書き出しを説明するための図である。
【００４１】
図７及び図８（１）のコンテンツ購入処理のフローチャート例に従って音楽コンテンツ購入記録データの書き出しを説明する。この電子音楽装置ＥＭにおいて、ユーザによる設定操作子１７のモード指定操作でコンテンツ購入モードに入ると、ＣＰＵ１は、コンテンツ購入処理を開始し、コンテンツ提供サーバＳＶにアクセスし購入可能な音楽コンテンツの情報を要求する（ステップＲ１）。サーバＳＶは、電子音楽装置ＥＭからの要求に応じて電子音楽装置ＥＭに対するコンテンツ提供処理を開始し、購入可能コンテンツ一覧の情報を返信する（ステップＳ１）。電子音楽装置ＥＭは、これに応じて、ディスプレイ１８上にコンテンツ購入画面を表示し、購入可能な音楽コンテンツ等を提示して、ユーザに所望の音楽コンテンツを指定させる等、必要な情報の入力を促す（Ｒ２）。ユーザによる所要情報の入力操作があると、操作に応じて、ユーザ情報、コンテンツ指定情報、支払い方法情報などの購入指示情報を取得し、サーバＳＶに送信する（Ｒ３）。
【００４２】
サーバＳＶは、電子音楽装置ＥＭからの購入指示情報を受け取り、その内容に応じて課金処理を行い（Ｓ２）、コンテンツ指定情報に従い、音楽コンテンツを電子音楽装置ＥＭに送る（Ｓ３）。次いで、送信した音楽コンテンツに関する購入記録情報を購入記録データベースにおけるユーザ別記憶領域内の電子音楽装置ＥＭに対応する領域に保存する（Ｓ４）。そして、購入記録データベースに保存されている電子音楽装置ＥＭに対する購入記録情報を電子音楽装置ＥＭに送り（Ｓ５）、電子音楽装置ＥＭに対するコンテンツ提供処理を終了する。
【００４３】
これに対して、電子音楽装置ＥＭは、サーバＳＶから音楽コンテンツを受け取り、これを所定の記憶装置４に記録し（Ｒ４）、サーバから購入記録情報を受け取り、これをＲＡＭ２に一時的に記憶すると共に、この購入記録情報を保存するか否かをコンテンツ購入画面でユーザに打診する（Ｒ５）。そして、ユーザ操作により、購入記録情報を保存することが選択されたか否かを判定し、購入記録情報の保存が選択されなかったときは（Ｒ６＝ＮＯ）、ＲＡＭ２上から購入記録情報を消去して、コンテンツ購入処理を終了する。
【００４４】
一方、購入記録情報の保存が選択されたときには（Ｒ６＝ＹＥＳ）、ステップＲ７に進んで、図８（１）に示されるコンテンツ購入記録書き出し処理を行う。すなわち、まず、ユーザ指定に従い、形式、縦横の画像サイズ、フォントサイズ、白黒／カラーなどの画像設定情報を決定し（Ｒ７１）、画像設定情報に従い、ＲＯＭ３のフォントデータを用いてＲＡＭ２上の購入記録情報を印刷用画像データに変換する（Ｒ７２）。この印刷用画像データは、例えば、図８（２）のコンテンツ購入記録画像データＣで示されるようなイメージをもち、この例では３ページで構成される。
【００４５】
次いで、図４で説明したメディア検索処理により、記録可能な記録メディアドライブ１０，２０の記録メディアＭＭａ，ＭＭｂ或いはネットワークドライブＮＤを検索する（Ｒ７３）。続いて、ディスプレイ１８上に検索結果画面を表示し、ユーザに対して、メディア検索処理で検索された記録可能な記録先を提示し、所望の記録先を選択させる（Ｒ７４）。そして、所望の記録先にコンテンツ購入記録画像データＢをファイルとして所望の記録先に書き出して（Ｒ７５）、コンテンツ購入記録書き出し処理を終了し、コンテンツ購入処理（図９）の終了段階にリターンする。つまり、ＲＡＭ２上から購入記録情報を消去してコンテンツ購入処理を終了する。
【００４６】
〔データ書き出しの種々の態様〕
第１の実施形態では電子音楽装置内部の設定の一例として「レジスト（楽器の設定）」を挙げたが、設定データの書き出しはこれに限らない。一般に、レジストというと主に音色設定を指すことが多いが、ＭＩＤＩやネットワーク等の設定をレジストメモリのデータとは関係なく書き出すようにしてもよい。つまり、ネットワークの設定やＭＩＤＩの設定などについては、マニュアルに「設定をメモしておきましょう」と記載されていることが多いが、電子音楽装置ＥＭの内部の設定データとして記憶メディアに書き出すようにすれば、このようなメモの必要がなくなる。図９は、電子音楽装置Ｅｍに機器動作に関して設定されているネットワーク設定を含む環境設定データを印刷用画像データとして書き出す場合に、環境設定データから変換された環境設定画像データＤのイメージ例を表わす。
【００４７】
また、電子音楽装置Ｅｍに内蔵された多数のコンテンツ〔音色（ボイス）データ、曲データ（ソングデータ）、パターン（フレーズ等の曲の一部分）データなど〕の一覧を書き出すようにしてもよい。さらに、電子音楽装置Ｅｍにおける上述した各種設定のログや、機器動作上の操作ログ情報などを書き出すようにしてもよい。
【００４８】
なお、印刷用画像データの形式については、一般的な形式でよく、ビットマップグラフィックス（ラスタグラフィックス）であってもベクトル（ベクター）グラフィックスであってもよく、具体的には、ＰＮＧ、ＪＰＥＧ、ＧＩＦ、ＢＭＰ、ＴＩＦＦ、ＰＩＣＴ、ＰｏｓｔＳｃｒｉｐｔ、ＰＤＦ、ＳＶＧ（ベクトル）などを採用することができる。
【００４９】
〔種々の実施態様〕
以上、図面を参照しつつ、この発明の好適な実施の形態について詳述したが、これは単なる一例であって、この発明の精神を逸脱しない範囲で種々の変更が可能である。例えば、実施例では、元のデータから画像に変換された画像データを、直接、記憶メディアに記録するようにしたが、一旦、内蔵ＨＤＤ（４）に保存し、その後、記憶メディアにコピーしたり移動させたりしてもよい。
【００５０】
また、演奏データを元に生成される印刷用楽譜画像データ（Ｂ）については、実施例では、いわゆる五線譜〔図６（２）〕の例を示したが、ピアノロール譜でもよい。
【図面の簡単な説明】
【００５１】
【図１】この発明の一実施例による電子音楽装置を含むシステム構成説明図である。
【図２】この発明の一実施例によるレジストデータの書き出し説明図である。
【図３】この発明の一実施例によるレジスト処理のフローチャートである。
【図４】この発明の一実施例によるメディア検索処理のフローチャートである。
【図５】この発明の一実施例による楽譜記録処理を表わすフローチャートである。
【図６】この発明の一実施例による楽譜データの書き出し説明図である。
【図７】この発明の一実施例によるコンテンツ購入処理のフローチャートである。
【図８】この発明の一実施例によるコンテンツ購入記録データの書き出し説明図である。
【図９】この発明の一実施例による他の書き出しデータの説明図である。
【符号の説明】
【００５２】
Ｍｂ  レジストメモリボタン（Ｍ：メモリボタン、１〜１６：ナンバボタン）、
ＭＭ：ＭＭａ，ＭＭｂ  可搬性不揮発記憶メディア（記憶媒体）、
Ａ〜Ｄ  記憶メディアＭＭに書き出された印刷用画像データ。
【図１】
2009216953.tif 000003
【図２】
2009216953.tif 000004
【図３】
2009216953.tif 000005
【図４】
2009216953.tif 000006
【図５】
2009216953.tif 000007
【図６】
2009216953.tif 000008
【図７】
2009216953.tif 000009
【図８】
2009216953.tif 000010
【図９】
2009216953.tif 000011